【手続補正書】
【提出日】平成20年2月29日(2008.2.29)
【手続補正１】
【補正対象書類名】明細書
【補正対象項目名】０００１
【補正方法】変更
【補正の内容】
【０００１】
この発明は、データが作成される際にその作成される時刻（年月日を含めた時刻）を示す、所謂タイムスタンプ情報の加工に関し、特に、タイムスタンプ情報がファイルネームのエリアに記録された当該データ（ファイル）が電子メイルに添付されて電気通信回線を介して送られて来て受け取った際に、そのデータが作成された真の時刻に対応する当該タイムスタンプ情報を活用できるようにデータを加工するデータ加工装置に関する。
【手続補正２】
【補正対象書類名】明細書
【補正対象項目名】０００２
【補正方法】変更
【補正の内容】
【０００２】
今日、データを記録する記録媒体の記録容量は飛躍的に増大して来ている。記録媒体のデータを記録する容量が大きいと、一つの記録媒体に複数のデータ（ファイル）を記録することが可能になる。そこで、一つの記録媒体に複数のデータを記録した場合に、各データを特定する必要が生じて来る。
各データを特定可能とすることについて、データが記録される際、つまり、そのデータが作成されて記録される際にその時の時刻を当該データと対応付けて記録される、所謂タイムスタンプ情報が知られている。
【手続補正３】
【補正対象書類名】明細書
【補正対象項目名】０００３
【補正方法】変更
【補正の内容】
【０００３】
各データが作成されて記録媒体に記録される際の時刻が当該データと対応付けられて記録されていると、後にそれらのデータを特定したり、複数のデータ間で記録時の前後関係を特定することに大いに役立つことが知られている。
殊に、記録媒体は、一時に唯一つのデータのみの記録が可能であって同時に複数のデータを記録することはできないから、一つの記録媒体の中では複数のデータが同じタイムスタンプ情報を有することはなく、よって、データを記録した時刻に基づいて該当するデータを一義的に確実に特定させることが可能になっている。
【手続補正４】
【補正対象書類名】明細書
【補正対象項目名】０００６
【補正方法】変更
【補正の内容】
【０００６】
そのデータが作成されて記録媒体に記録される際に対応付いて記録される時刻の情報、つまり、タイムスタンプ情報は、各データが記録媒体に記録された固有の時刻を示すものである。
よって、ユーザーは、当該データに対応付いて記録されたタイムスタンプ情報に基づいて、一つの記録媒体に記録されている複数のデータ（ファイル）をそれぞれ特定することが可能である。
そうして、ユーザーはこのタイムスタンプ情報に基づいて複数のデータをそれぞれ特定することが可能であることから、特定したデータを編集したり、特定した複数のデータを記録された時系列順に並べることが可能になっている。
【手続補正５】
【補正対象書類名】明細書
【補正対象項目名】０００７
【補正方法】変更
【補正の内容】
【０００７】
他方、ユーザーは、複数のファイル（データ）の中から任意に選択したファイルを遠方に送る場合に、その任意に選択したファイルを読出して電気通信回線を介したインターネットによるメイル、所謂電子メイルに添付して相手に送るという方法が知られている。
ここで、電子メイルに添付されたファイル（データ）に対応付けられるタイムスタンプ情報が電子メイルの送受によって欠落することがないならば、その添付ファイルを受け取った者もタイムスタンプ情報を活用することが可能である。
【手続補正６】
【補正対象書類名】明細書
【補正対象項目名】０００８
【補正方法】変更
【補正の内容】
【０００８】
ファイルを電子メイルに添付して送った場合、当該電子メイルを送った時刻と受け取った時刻は知ることが可能である。
しかしながら、そのファイル（当該電子メイルに添付のファイル）を受け取った時点ではファイルに記録されていたタイムスタンプ情報が消失してしまい、当該電子メイルに添付のファイルのデータ記録時、つまりそのファイルを作成して記録した時刻を知ることができないという問題が生じる。
上記特許文献１には、タイムスタンプ情報が対応するファイルを電子メイルに添付して送ることによって消失すること、タイムスタンプ情報が消失することに対する対応等は、全く記されていない。
【手続補正７】
【補正対象書類名】明細書
【補正対象項目名】０００９
【補正方法】変更
【補正の内容】
【０００９】
他方、ファイル（データ）を電子メイルに添付して送ると当該電子メイルに添付のファイルに対応付けられたタイムスタンプ情報が消失するという問題に対して、本願発明の発明者の一人は、電子メイルに添付して送受を行なってもデータ消失が生じることのないファイルネームのエリアにタイムスタンプ情報を記録し得る構成のデータ記録装置を発明し、このことによってタイムスタンプ情報の消失の回避方法を提案している（特願２００５−２３２４６７号）。
よって、斯かる構成のデータ記録装置を用いて記録されたファイル（データ）は、電子メイルに添付されて送付された後であっも、タイムスタンプ情報はファイルネームのエリアに記録されていて消失することはない。
【手続補正８】
【補正対象書類名】明細書
【補正対象項目名】００１０
【補正方法】変更
【補正の内容】
【００１０】
然るに、タイムスタンプ情報が当該ファイルと対応付いて消失することなく記録されていても、実際には、タイムスタンプ情報が記録媒体においてファイルの本来記録されるべきエリアに記録されていないので、折角のタイムスタンプ情報を活用できないという問題が生じることになる。
つまり、タイムスタンプ情報がファイルネームのエリアに記録されているので、従来通りの構成のデータを再生する装置を用いた場合ではファイルネームのエリアにタイムスタンプ情報が記録されているファイルからそのタイムスタンプ情報を読出そうとしても読出すことができず、又、ファイルネームのエリアにタイムスタンプ情報が記録されていることを知らないユーザーは折角のタイムスタンプ情報を見落として活用できないことになる。
【手続補正９】
【補正対象書類名】明細書
【補正対象項目名】００１１
【補正方法】変更
【補正の内容】
【００１１】
更に、記録媒体においてタイムスタンプ情報が記録されるエリア（ディレクトリエントリ）に本来ならば記録されている筈のタイムスタンプ情報が記録されていないことから、電子メイルの添付ファイル（添付されたデータ）として受け取った後、電子メイルの受信装置の中には、受け取ったその添付ファイルを保存する際にその保存の時刻をタイムスタンプ情報として自動的に記録する手段を具備した構成の装置が知られている。
斯かる手段が具備された受信装置では、単にファイルネームのエリアに記録された真のタイムスタンプ情報が使用されないというだけではなく、電子メイルの受信以降に誤ったタイムスタンプ情報が使用されることになり、問題はより一層深刻である。
【手続補正１０】
【補正対象書類名】明細書
【補正対象項目名】００１２
【補正方法】変更
【補正の内容】
【００１２】
この発明は、上記の事情に鑑みてなされたものであり、ファイル（データ）を電子メイルに添付して送る際に当該ファイルが作成された際の時刻であるタイムスタンプ情報が消失せずに先方に届くように、真のタイムスタンプ情報がファイルネームのエリアに記録されているファイルが電子メイルに添付されて受け取られた場合、当該ファイルに係るタイムスタンプ情報が真のタイムスタンプ情報として使用することを可能にさせるデータ加工装置を提供するものである。
【手続補正１１】
【補正対象書類名】明細書
【補正対象項目名】００１７
【補正方法】変更
【補正の内容】
【００１７】
この発明は、電気通信回線を介して受信の電子メイルに添付されたファイル（データ）はディレクトリエントリに記録されたタイムスタンプ情報が消失されると、添付のデータの受信時が記録時と見なされてタイムスタンプ情報が記録されても、当該ファイルのファイルネームのエリアに真のタイムスタンプ情報が記録されていれば、その真のタイムスタンプ情報がディレクトリエントリに書込まれて、当該ファイルをその真のタイムスタンプ情報に基づいて特定させることが可能なデータ加工装置である。
【手続補正１２】
【補正対象書類名】明細書
【補正対象項目名】００１９
【補正方法】変更
【補正の内容】
【００１９】
データサーバ２は、電気通信回線、所謂インターネットを介して得られるデータ（ファイル）、編集手段６によって得られるデータ等を貯蔵するものである。
尚、データサーバ２には、外部からデータをアクセスするための端子部が備えられている。
読出し手段３は、データを受取ってそのデータのファイルネームのエリアに記録されている真のタイムスタンプ情報を読出すものである。
【手続補正１３】
【補正対象書類名】明細書
【補正対象項目名】００２０
【補正方法】変更
【補正の内容】
【００２０】
ここで、真のタイムスタンプ情報について説明する。
データを添付ファイルにして電子メイルに添付し、その電子メイルを電気通信回線であるインターネットを介して送受が行われ、その添付ファイル付きの電子メイルが受信されると、ディレクトリエントリに記録されている筈のタイムスタンプ情報が消失することになる。
このタイムスタンプ情報は、当該データ（ファイル）が作成されて記録された際の時刻を示すものであるから、そのデータを特定するために貴重な情報である。
他方、インターネットを介してファイル（データ）の添付された電子メイルが受取られると、その受取られた際の時刻を前記添付のファイルの空き状態になっているディレクトリにタイムスタンプ情報として自動的に書込むように機能するデータ受信装置が知られている。
【手続補正１４】
【補正対象書類名】明細書
【補正対象項目名】００２１
【補正方法】変更
【補正の内容】
【００２１】
しかしながら、電子メイルの送信によって消失した添付ファイルの真のタイムスタンプ情報の代わりとして、当該電子メイルが受信された時刻をタイムスタンプ情報と扱うのは、明らかに誤りである。
他方、真のタイムスタンプ情報とは、そのデータ（ファイル）が作成された際に記録された時刻に係るものである。
そこで、データを電子メイルの添付ファイルとして送る際に、当該データの真のタイムスタンプ情報が受信時に消失しないように、当該データのファイルネームのエリアにタイムスタンプ情報を記録するように構成する。
従って、電子メイルに添付したファイル（データ）であっても、上記の構成において得られるファイルネームのエリアに記録されているタイムスタンプ情報は真のタイムスタンプ情報と呼ぶことができる。
【手続補正１５】
【補正対象書類名】明細書
【補正対象項目名】００２２
【補正方法】変更
【補正の内容】
【００２２】
比較手段４は、読出し手段３が当該データのファイルネームのエリアから読出したタイムスタンプ情報（真のタイムスタンプ情報）と当該データのディレクトリエントリに記録されているタイムスタンプ情報を比較するものである。
比較手段４の比較作用によって、前記ディレクトリエントリに記録のタイムスタンプ情報が前記ファイルネームのエリアに記録のタイムスタンプ情報と同じであれば、前記ディレクトリエントリのタイムスタンプ情報は真のタイムスタンプ情報であると見なすことができる。
逆に、前記ディレクトリエントリのタイムスタンプ情報が前記ファイルネームのエリアに記録されたタイムスタンプ情報と異なっていれば、前記ディレクトリエントリに記録されたタイムスタンプ情報は真のタイムスタンプ情報ではないと見なすことができる。
【手続補正１６】
【補正対象書類名】明細書
【補正対象項目名】００２５
【補正方法】変更
【補正の内容】
【００２５】
尚、編集手段６は所望により、ファイルの分割、ファイルの一部コピー、ファイルの結合、ファイルの消去、ファイル名の変更等の機能を持たすことも可能である。
データ記録手段７は、記録媒体１２にデータを記録するものである。つまり、具体的には、ディレクトリエントリに真のタイムスタンプ情報が記録されているデータ（ファイル）単体、編集手段６によって得られたデータ群等を記録媒体１２に記録するものである。
【手続補正１７】
【補正対象書類名】明細書
【補正対象項目名】００３１
【補正方法】変更
【補正の内容】
【００３１】
ここで、読出し手段３はデータＡを受取ると、そのファイルネームのエリアに記録されている真のタイムスタンプ情報Ｔとディレクトリエントリに記録されたタイムスタンプ情報ｔを読出す。
読出された真のタイムスタンプ情報Ｔとタイムスタンプ情報ｔは、バス１１を介して比較手段４及び表示手段１０に送られる。
【手続補正１８】
【補正対象書類名】明細書
【補正対象項目名】００３２
【補正方法】変更
【補正の内容】
【００３２】
比較手段４は、真のタイムスタンプ情報Ｔとタイムスタンプ情報ｔを受取るとその比較を行い、タイムスタンプ情報ｔが真のタイムスタンプ情報Ｔに等しいか否かの比較を行ない、その結果を制御手段８に送る。
【手続補正１９】
【補正対象書類名】明細書
【補正対象項目名】００３３
【補正方法】変更
【補正の内容】
【００３３】
他方、表示手段１０に送られたデータＡの真のタイムスタンプ情報Ｔとタイムスタンプ情報ｔは、その値（時刻）が表示手段１０に表示される。
ここで、ユーザーは、表示手段１０に表示されている真のタイムスタンプ情報ＴからデータＡが作成された時刻、及び、タイムスタンプ情報ｔからデータＡが電子メイルの添付ファイルで受取られた時刻を知ることができる。
【手続補正２０】
【補正対象書類名】明細書
【補正対象項目名】００３４
【補正方法】変更
【補正の内容】
【００３４】
制御手段８が比較手段４においてのデータＡの真のタイムスタンプ情報Ｔとタイムスタンプ情報ｔの比較結果を受取り、タイムスタンプ情報ｔが真のタイムスタンプ情報Ｔと同じでない、つまり、ディレクトリエリアに記録されているタイムスタンプ情報ｔがファイルネームのエリアに記録されている真のタイムスタンプ情報Ｔと異なっている場合には、その時点でディレクトリエリアに記録されているタイムスタンプ情報は真のタイムスタンプ情報ではないということで、書込み手段５に機能出力の制御信号が送られる。
【手続補正２１】
【補正対象書類名】明細書
【補正対象項目名】００３５
【補正方法】変更
【補正の内容】
【００３５】
書込み手段５は、制御手段８からの前記制御信号を受けると、データＡに対してファイルネームのエリアに記録されている真のタイムスタンプ情報Ｔをディレクトリエントリのタイムスタンプ情報ｔに対して上書きすることによって書き換える。
ここで、データＡは、ディレクトリエントリに真のタイムスタンプ情報Ｔが記録されることになる。
尚、このデータＡについて真のタイムスタンプ情報Ｔの書込みが行なわれる際のプロセスも、表示手段１０に表示される。
【手続補正２２】
【補正対象書類名】明細書
【補正対象項目名】００３６
【補正方法】変更
【補正の内容】
【００３６】
他方、制御手段８は、比較手段４から受取った比較結果の内容が、タイムスタンプ情報ｔが真のタイムスタンプ情報Ｔに等しいという旨の場合には、データＡのディレクトリエントリに記録されているタイムスタンプ情報ｔは真のタイムスタンプ情報であるということから、書き換える必要がないことになる。
そこで、制御手段８は、データＡに対しては書込み手段５にタイムスタンプ情報を書換える機能の出力の制御信号を送ることはない。
【手続補正２３】
【補正対象書類名】明細書
【補正対象項目名】００３９
【補正方法】変更
【補正の内容】
【００３９】
ユーザーは続いて、この時点でのデータＡのディレクトリエントリには真のタイムスタンプ情報が記録されているので、データＡが作成された時刻に基づいて他のデータと比較することが可能であることより、記録媒体１２に記録することを行う。
つまり、操作手段９から記録命令の信号を制御手段８に送ると、制御手段８はデータ記録手段７に制御信号を送って、データ記録手段７がデータＡを記録媒体１２に記録するように制御する。
データ記録手段７は前記制御信号に基づいて、データＡを記録媒体１２に記録する。
【手続補正２４】
【補正対象書類名】明細書
【補正対象項目名】００４０
【補正方法】変更
【補正の内容】
【００４０】
上述したように、データＡのディレクトリエントリに真のタイムスタンプ情報が記録されていない場合であっても、データ加工装置１ではデータ加工機能によって、ファイルネームのエリアに真のタイムスタンプ情報が記録されていればこの真のタイムスタンプ情報に基づいてディレクトリエントリに真のタイムスタンプ情報が記録されるので、データＡはその作成した時刻を正確に特定することが可能になる。
よって、この作成した時刻が正確に特定することが可能になるデータＡは他のデータとの特定（判別）が可能になる。
【手続補正２５】
【補正対象書類名】明細書
【補正対象項目名】００４１
【補正方法】変更
【補正の内容】
【００４１】
データ加工装置１では、比較手段４が、データＡのファイルネームのエリアに記録されている真のタイムスタンプ情報Ｔとディレクトリエントリに記録されているタイムスタンプ情報ｔが同じであるか否かを比較するが、ディレクトリエントリにタイムスタンプ情報が何も記録されていなかった場合には、比較手段４は記録されていないタイムスタンプ情報と真のタイムスタンプ情報Ｔは異なると判断してその結果を制御手段８に送る構成になっている。
【手続補正２６】
【補正対象書類名】明細書
【補正対象項目名】００４２
【補正方法】変更
【補正の内容】
【００４２】
データ加工装置１は、データＡのファイルネームのエリアに記録されている真のタイムスタンプ情報Ｔとディレクトリエントリに記録されているタイムスタンプ情報ｔを比較する比較手段４を備えて構成されているが、比較手段４を備えていない構成であってもよい。
比較手段４を備えていない構成のデータ加工装置１では、書込み手段５は、ディレクトリエントリに記録のタイムスタンプ情報ｔに依らず、常にファイルネームのエリアに記録されている真のタイムスタンプ情報Ｔをディレクトリエントリに書込むように（上書き書き換えを行うように）機能する。
【手続補正２７】
【補正対象書類名】明細書
【補正対象項目名】００４６
【補正方法】変更
【補正の内容】
【００４６】
データ加工装置１は音声のデータを記録する構成であるが、対象となるデータは連続映像、動画映像、映像と音声の組み合わせ等であってもよい。
【手続補正２８】
【補正対象書類名】図面
【補正対象項目名】図１
【補正方法】変更
【補正の内容】
【図１】
2007058594.tif 000001